【手続補正書】
【提出日】平成21年1月26日(2009.1.26)
【手続補正１】
【補正対象書類名】特許請求の範囲
【補正対象項目名】全文
【補正方法】変更
【補正の内容】
【特許請求の範囲】
【請求項１】
移動可能な可動レンズ部と、
前記可動レンズ部に対して接触する接触位置と、前記可動レンズ部に接触しない退避位置との間を移動可能な移動部材と、
前記接触位置で前記移動部材を前記可動レンズ部に対して付勢する付勢部材と、
を備え、
前記移動部材と前記可動レンズ部とが接触する部分の一方には、凹部が設けられ、他方には、前記凹部と対向する接触面を有した弾性部材が設けられており、
前記弾性部材は、前記付勢部材による付勢力によって変形することにより前記接触面よりも前記凹部内に一部が入り込むこと、
を特徴とするレンズユニット。
【請求項２】
請求項１に記載のレンズユニットにおいて、
前記移動部材は、前記凹部内に挿入されることにより前記可動レンズ部の移動を制限するロック位置と前記ロック位置から退避した非ロック位置との間を移動するロック部材であり、
前記弾性部材は、前記ロック部材に取り付けられていること、
を特徴とするレンズユニット。
【請求項３】
凹部を備え、移動可能な可動レンズ部と、
前記凹部内に挿入されることにより前記可動レンズ部の移動を制限するロック位置と前記ロック位置から退避した非ロック位置との間を移動するロック部材と、
前記ロック部材に取り付けられ、前記ロック部材が前記ロック位置にあるときに前記可動レンズ部に対して接触する接触位置と、前記ロック部材が前記非ロック位置にあるときに前記可動レンズ部に接触しない退避位置との間を移動可能な弾性部材と、
前記接触位置で前記弾性部材を前記可動レンズ部に対して付勢する付勢部材と、
を備えるレンズユニット。
【請求項４】
請求項３に記載のレンズユニットにおいて、
前記弾性部材は、前記付勢部材による付勢力によって変形することにより前記凹部と前記ロック部材との間に生じる隙間に入り込むこと、
を特徴とするレンズユニット。
【請求項５】
請求項１から請求項４までのいずれか１項に記載のレンズユニットにおいて、
前記弾性部材は、ゴムにより形成されていること、
を特徴とするレンズユニット。
【請求項６】
請求項２から請求項５までのいずれか１項に記載のレンズユニットにおいて、
前記可動レンズ部は、光軸に直交する方向に移動可能であり、
前記ロック部材が前記ロック位置にあるとき、前記ロック部材は、前記光軸と直交する方向で前記凹部と係合し、前記弾性部材は、前記光軸に沿った方向で前記付勢部材により付勢されて前記可動レンズ部に対して接触すること、
を特徴とするレンズユニット。
【請求項７】
請求項１から請求項６までのいずれか１項に記載のレンズユニットにおいて、
前記可動レンズ部は、移動することにより像のブレを補正するブレ補正レンズを含むこと、
を特徴とするレンズユニット。
【請求項８】
像ブレを補正するための移動方向と交差する方向に凹部を有する可動レンズ部と、
前記可動レンズ部の移動方向と交差する方向に移動することにより前記凹部に挿入可能な凸部を有し、前記凸部が前記凹部に挿入され前記可動レンズ部の移動を規制するロック位置と、前記凸部が前記凹部に挿入されず前記可動レンズ部の移動を規制しない非ロック位置との間を移動可能な移動部材と、
前記移動部材の前記凸部の近傍に固定され、前記移動部材が前記ロック位置にあるとき前記凹部の近傍に当接する弾性部材とを備えることを特徴とするレンズユニット。
【請求項９】
請求項８に記載されたレンズユニットであって、
前記弾性部材は、前記移動部材が前記ロック位置にあるとき、前記可動レンズ部に当接して変形する弾性を有することを特徴とするレンズユニット。
【請求項１０】
請求項９に記載されたレンズユニットであって、
前記弾性部材は、前記移動部材が前記ロック位置にあるとき、前記可動レンズ部に当接する第１部分と、前記可動レンズ部に当接して変形することにより前記凹部に挿入される第２部分とを有することを特徴とするレンズユニット。
【請求項１１】
請求項１から請求項１０までのいずれか１項に記載のレンズユニットと、
前記レンズユニットをカメラに対して取り付けるマウント部と、を備える交換レンズ。
【請求項１２】
請求項１から請求項１０までのいずれか１項に記載のレンズユニットを含むカメラシステム。
【手続補正２】
【補正対象書類名】明細書
【補正対象項目名】０００５
【補正方法】変更
【補正の内容】
【０００５】
本発明は、以下のような解決手段により、前記課題を解決する。なお、理解を容易にするために、本発明の実施例に対応する符号を付して説明するが、これに限定されるものではない。
請求項１の発明は、移動可能な可動レンズ部（２，１７）と、前記可動レンズ部に対して接触する接触位置と、前記可動レンズ部に接触しない退避位置との間を移動可能な移動部材（３１）と、前記接触位置で前記移動部材を前記可動レンズ部に対して付勢する付勢部材（３２）と、を備え、前記移動部材と前記可動レンズ部とが接触する部分の一方には、凹部（１７４）が設けられ、他方には、前記凹部と対向する接触面を有した弾性部材（４１）が設けられており、前記弾性部材は、前記付勢部材による付勢力によって変形することにより前記接触面よりも前記凹部内に一部が入り込むこと、を特徴とするレンズユニットである。
請求項２の発明は、請求項１に記載のレンズユニットにおいて、前記移動部材は、前記凹部（１７４）内に挿入されることにより前記可動レンズ部の移動を制限するロック位置と前記ロック位置から退避した非ロック位置との間を移動するロック部材（３１）であり、前記弾性部材（４１）は、前記ロック部材に取り付けられていること、を特徴とするレンズユニットである。
請求項３の発明は、凹部（１７４）を備え、移動可能な可動レンズ部（２，１７）と、前記凹部内に挿入されることにより前記可動レンズ部の移動を制限するロック位置と前記ロック位置から退避した非ロック位置との間を移動するロック部材（３１）と、前記ロック部材に取り付けられ、前記ロック部材が前記ロック位置にあるときに前記可動レンズ部に対して接触する接触位置と、前記ロック部材が前記非ロック位置にあるときに前記可動レンズ部に接触しない退避位置との間を移動可能な弾性部材（４１）と、前記接触位置で前記弾性部材を前記可動レンズ部に対して付勢する付勢部材（３２）と、を備えるレンズユニットである。
請求項４の発明は、請求項３に記載のレンズユニットにおいて、前記弾性部材（４１）は、前記付勢部材（３２）による付勢力によって変形することにより前記凹部（１７４）と前記ロック部材（３１）との間に生じる隙間に入り込むこと、を特徴とするレンズユニットである。
請求項５の発明は、請求項１から請求項４までのいずれか１項に記載のレンズユニットにおいて、前記弾性部材（４１）は、ゴムにより形成されていること、を特徴とするレンズユニットである。
請求項６の発明は、請求項２から請求項５までのいずれか１項に記載のレンズユニットにおいて、前記可動レンズ部（２，１７）は、光軸に直交する方向に移動可能であり、前記ロック部材（３１）が前記ロック位置にあるとき、前記ロック部材は、前記光軸と直交する方向で前記凹部（１７４）と係合し、前記弾性部材は、前記光軸に沿った方向で前記付勢部材（３２）により付勢されて前記可動レンズ部に対して接触すること、を特徴とするレンズユニットである。
請求項７の発明は、請求項１から請求項６までのいずれか１項に記載のレンズユニットにおいて、前記可動レンズ部（２，１７）は、移動することにより像のブレを補正するブレ補正レンズ（２）を含むこと、を特徴とするレンズユニットである。
請求項８の発明は、像ブレを補正するための移動方向と交差する方向に凹部（１７４）を有する可動レンズ部（２，１７）と、前記可動レンズ部の移動方向と交差する方向に移動することにより前記凹部に挿入可能な凸部を有し、前記凸部が前記凹部に挿入され前記可動レンズ部の移動を規制するロック位置と、前記凸部が前記凹部に挿入されず前記可動レンズ部の移動を規制しない非ロック位置との間を移動可能な移動部材（３１）と、前記移動部材の前記凸部の近傍に固定され、前記移動部材が前記ロック位置にあるとき前記凹部（１７４）の近傍に当接する弾性部材（４１）とを備えることを特徴とするレンズユニットである。
請求項９の発明は、請求項８に記載されたレンズユニットであって、前記弾性部材（４１）は、前記移動部材（３１）が前記ロック位置にあるとき、前記可動レンズ部（２，１７）に当接して変形する弾性を有することを特徴とするレンズユニットである。
請求項１０の発明は、請求項９に記載されたレンズユニットであって、前記弾性部材は、前記移動部材（３１）が前記ロック位置にあるとき、前記可動レンズ部（２，１７）に当接する第１部分と、前記可動レンズ部に当接して変形することにより前記凹部（１７４）に挿入される第２部分とを有することを特徴とするレンズユニットである。
請求項１１の発明は、請求項１から請求項１０までのいずれか１項に記載のレンズユニットと、前記レンズユニットをカメラ（２００）に対して取り付けるマウント部（１９）と、を備える交換レンズ（１００）である。
請求項１２の発明は、請求項１から請求項１０までのいずれか１項に記載のレンズユニットを含むカメラシステムである。
なお、符号を付して説明した構成は、適宜改良してもよく、また、少なくとも一部を他の構成物に代替してもよい。